(57)【要約】【課題】探触子を変更することなく、同一の探触子位置において、使用周波数の異なる超音波ビームを用いた欠陥検査を効率的かつ高精度に実施できるようにする。【解決手段】使用周波数の異なる複数の振動子群を有し、かつ、振動子群は対称的に配列されたアレイ型超音波探触子２と、アレイ型超音波探触子２を被測定物１に移動調節する探触子移動調節部３と、被測定物１の予め定められた条件をもとに、使用周波数および振動子群ごとの探傷条件を設定する探傷条件設定部８と、アレイ型超音波探触子２により走査を行う走査部１４と、超音波ビームを走査させることにより得られた被測定物１の検査対象部位からの超音波エコーを処理する処理部１５と、処理部１５により得られた処理結果を出力する出力装置１８とを備えたことを特徴とする超音波探傷装置、および前記超音波探傷装置を用いた超音波探傷方法である。【選択図】  図１
2008232627.tif 000002
【特許請求の範囲】
【請求項１】
使用周波数の異なる複数の振動子群を有し、かつ、前記振動子群は対称的に配列されたアレイ型超音波探触子と、
前記アレイ型超音波探触子を被測定物上で移動調節する移動調節手段と、
前記被測定物の予め定められた条件をもとに、前記使用周波数および振動子群ごとの探傷条件を設定する探傷条件設定手段と、
前記探傷条件設定手段により設定された探傷条件に基づき、前記振動子群を用いて前記被測定物の検査対象部位に超音波ビームを走査させる走査手段と、
前記走査手段により超音波ビームが走査されて得られた、前記被測定物の検査対象部位からの超音波エコーを処理する処理手段と、
前記処理手段により得られた処理結果を出力する出力手段とを備えたことを特徴とする超音波探傷装置。
【請求項２】
前記使用周波数の異なる振動子群は、マトリックス状またはリニア状に対称的に配列されたことを特徴とする請求項１に記載の超音波探傷装置。
【請求項３】
前記使用周波数の異なる振動子群は、ハニカム状に対称的に配列されたことを特徴とする請求項１に記載の超音波探傷装置。
【請求項４】
使用周波数の異なる複数の振動子群を有し、かつ、前記振動子群は対称的に配列されたアレイ型超音波探触子を被測定物上で移動調節する移動調節ステップと、
前記被測定物の予め定められた条件をもとに、前記使用周波数および振動子群ごとの探傷条件を設定する探傷条件設定ステップと、
前記探傷条件設定ステップにより設定された探傷条件に基づき、前記振動子群を用いて前記被測定物の検査対象部位に超音波ビームを走査させる走査ステップと、
前記走査ステップにより超音波ビームが走査されて得られた、前記被測定物の検査対象部位からの超音波エコーを処理する処理ステップと、
前記処理ステップにより得られた処理結果を出力する出力ステップとを備えたことを特徴とする超音波探傷方法。
【請求項５】
前記探傷条件は、前記振動子群を用いた、異なる周波数による探傷をする際、各周波数の振動子群の送受信屈折角は重複しないことを条件とすることを特徴とする請求項４に記載の超音波探傷方法。
【請求項６】
前記探傷条件は、前記振動子群を用いた、異なる周波数による探傷をする際、各周波数の振動子群の送受信屈折角は重複することを条件とすることを特徴とする請求項４に記載の超音波探傷方法。
【請求項７】
前記複数の振動子群を用いた探傷により得られた複数の受信信号による解析結果が、欠陥の同一位置からの受信信号による解析結果であると判断された場合、エコー振幅値が大きい超音波エコーの受信信号による解析結果を欠陥評価に用いることを、予め設定することを特徴とする請求項４に記載の超音波探傷方法。
【請求項８】
前記複数の振動子群を用いた探傷により得られた複数の受信信号による解析結果が、欠陥の同一位置からの受信信号による解析結果であると判断された場合、受信信号に対するノイズの比率が低い超音波エコーの受信信号による解析結果を欠陥評価に用いることを、予め設定することを特徴とする請求項４に記載の超音波探傷方法。
【請求項９】
前記複数の振動子群を用いた探傷により得られた複数の受信信号による解析結果が、欠陥の同一位置からの受信信号による解析結果であると判断された場合、前記振動子群ごとに欠陥評価を行う範囲を予め設定することを特徴とする請求項４に記載の超音波探傷方法。
【発明の詳細な説明】
【技術分野】
【０００１】
本発明は超音波探傷技術に関し、特に、同一の探触子を用いて、複数の周波数の超音波ビームによる探傷が可能な超音波探傷装置および超音波探傷方法に関する。
【背景技術】
【０００２】
従来、被測定物の複雑形状部の探傷に適した探傷技術として、マトリックス(二次元)アレイ型超音波探傷技術が知られている（例えば特許文献１）。これによれば、三次元的に超音波ビームを制御することで、欠陥に対する定量的評価の高精度化を図ることができる。
【特許文献１】特開２００５−９９２８号公報
【発明の開示】
【発明が解決しようとする課題】
【０００３】
従来の超音波探傷技術は、ステンレス鋼等の被測定物の表面近傍における溶接部の探傷を行った場合、溶接金属部と母材との界面による超音波エコーと欠陥端部からの超音波エコーとの区別がつきにくい場合が想定される。これに対しては、周波数の高い超音波ビームによる探傷を実施することで改善することができるが、従来では使用周波数の高い探触子と交換して、再度探傷を実施する繰り返し使用方法がとられていた。
【０００４】
欠陥の検出および深さサイジング評価をもとに、探傷周波数を変更したい場合、上述した繰り返し使用方法を用いると、探触子交換作業や対象部位への再設置・再調節作業が必要であり、作業効率は低いものであった。
【０００５】
本発明は、かかる従来の事情に対処するためになされたものであり、欠陥検査実施時に、探触子を交換することなく同一の探触子位置において、異なる周波数の超音波ビームを用いた探傷を効率よく実施することができる超音波探傷装置および超音波探傷方法を提供することを目的とする。
【課題を解決するための手段】
【０００６】
本発明の超音波探傷装置は、上述した課題を解決するために、使用周波数の異なる複数の振動子群を有し、かつ、前記振動子群は対称的に配列されたアレイ型超音波探触子と、前記アレイ型超音波探触子を被測定物上で移動調節する移動調節手段と、前記被測定物の予め定められた条件をもとに、前記使用周波数および振動子群ごとの探傷条件を設定する探傷条件設定手段と、前記探傷条件設定手段により設定された探傷条件に基づき、前記振動子群を用いて前記被測定物の検査対象部位に超音波ビームを走査させる走査手段と、前記走査手段により超音波ビームが走査されて得られた、前記被測定物の検査対象部位からの超音波エコーを処理する処理手段と、前記処理手段により得られた処理結果を出力する出力手段とを備えたことを特徴とするものである。
【０００７】
また、本発明の超音波探傷方法は、上述した課題を解決するために、使用周波数の異なる複数の振動子群を有し、かつ、前記振動子群は対称的に配列されたアレイ型超音波探触子を被測定物上で移動調節する移動調節ステップと、前記被測定物の予め定められた条件をもとに、前記使用周波数および振動子群ごとの探傷条件を設定する探傷条件設定ステップと、前記探傷条件設定ステップにより設定された探傷条件に基づき、前記振動子群を用いて前記被測定物の検査対象部位に超音波ビームを走査させる走査ステップと、前記走査ステップにより超音波ビームが走査されて得られた、前記被測定物の検査対象部位からの超音波エコーを処理する処理ステップと、前記処理ステップにより得られた処理結果を出力する出力ステップとを備えたことを特徴とするものである。
【発明の効果】
【０００８】
本発明によれば、探触子を変更することなく同一の探触子位置において、使用周波数の異なる超音波ビームを用いた欠陥検査を効率的かつ高精度に実施することができる。
【０００９】
また、欠陥の検出および深さサイジング評価をもとに、容易に所定の周波数に変更することができ、作業の効率化を図ることができる。
【００１０】
さらに、同一の検査対象部位に対し、使用周波数の異なる超音波ビームを用いた欠陥検査を実施できるため、欠陥検出位置の整合性が高く、高精度な欠陥検査を実施することができる。
【発明を実施するための最良の形態】
【００１１】
本発明の実施形態について添付図面を参照して説明する。
【００１２】
本発明は、ステンレス鋼等の被測定物中における溶接部等について行う超音波探傷技術にかかり、例えば、オーステナイト系ステンレス板材からなる配管を突き合わせた複雑形状を有する溶接部近傍の欠陥部について、欠陥検査を行う場合に適する超音波探傷装置である。
【００１３】
図１は本発明にかかる超音波探傷装置の実施の形態を示す構成図である。
【００１４】
図１に示すように、ステンレス鋼等の被測定物１は、例えばオーステナイト系ステンレス板材からなり、このステンレス板材には底面側にて開口した欠陥１ａが生じているものとする。
【００１５】
マトリックスアレイ型超音波探触子２は、被測定物１の外側に形成された、例えば水である接触媒質ｃを介して設置される。接触媒質ｃは音響媒体を兼ねる音響カップリング材である。接触媒質ｃは、マトリックスアレイ型超音波探触子２と被測定物１とを密着させて、超音波ビームの伝播を容易にする。
【００１６】
図２はマトリックスアレイ型超音波探触子２の表面を拡大したものである。
【００１７】
マトリックスアレイ型超音波探触子２は、図２に示すように使用周波数の異なる２種類の振動子群Ａ（１）、Ａ（２）、・・・Ａ（ｎ）（以下、Ａ（ｉ）という。）、および振動子群Ｂ（１）、Ｂ（２）、・・・Ｂ（ｍ）（以下、Ｂ（ｉ）という。）からなり、振動子群Ａ（ｉ）と振動子群Ｂ（ｉ）とはマトリックス状に二次元に配列されている。また、振動子群Ａ（ｉ）が使用する周波数をｆ１、振動子群Ｂ（ｉ）が使用する周波数をｆ２とし、使用周波数ｆ１、ｆ２は、ｆ１＜ｆ２の関係を有する。
【００１８】
マトリックスアレイ型超音波探触子２には、探触子移動調節手段である探触子移動調節部３が接続され、この探触子移動調節部３には駆動機構制御装置４、駆動機構５および探触子保持機構６が順次接続されることで構成されている。
【００１９】
駆動機構制御装置４は、後述する他の手段とともに、全体制御用の制御装置７からの指令により遠隔的に制御される。
【００２０】
駆動機構５は、マトリックスアレイ型超音波探触子２を適正な位置に移動させるための移動手段として駆動機構制御装置４に連結されている。駆動機構５の移動量および移動方法等は駆動機構制御装置４により制御される。
【００２１】
探触子保持機構６は、駆動機構制御装置４からの指令により、マトリックスアレイ型超音波探触子２と被測定物１との距離を適正に保持する。
【００２２】
一方、マトリックスアレイ型超音波探触子２には、探傷条件設定手段である探傷条件設定部８が接続され、この探傷条件設定部８には使用周波数選択機構９、使用振動子選択機構１０および遅延時間制御器１１が順次接続されることで構成されている。
【００２３】
すなわち、探傷条件設定部８により、被測定物１の予め定められた条件をもとに、使用周波数および振動子群ごとの探傷条件が設定される。
【００２４】
ここで、予め定められた条件とは、例えば被測定物１の形状、寸法、溶接部の材料、開先形状、溶接条件等の条件である。また、探傷条件とは、例えば使用周波数、送信用振動子数、受信用振動子数、送受信屈折角、集束位置、マトリックスアレイ型超音波探触子２と被測定物１との距離等の条件であり、予めデータベース（図示せず）に格納されている。
【００２５】
使用周波数選択機構９は、制御装置７からの指令に基づいて、振動子群Ａ（ｉ）、および振動子群Ｂ（ｉ）のうち、いずれかまたは両方を駆動させるかを選択することができる。
【００２６】
使用振動子選択機構１０は、制御装置７からの指令に基づいて、使用周波数選択機構９で選択された振動子群Ａ（ｉ）および振動子群Ｂ（ｉ）において、個々の振動子を駆動させるか否かを、独立に選択することができる。
【００２７】
すなわち、制御装置７からの指令により使用振動子選択機構１０および使用周波数選択機構９を用いることで、探傷に用いる周波数、使用振動子、探傷範囲を振動子群Ａ（ｉ）、および振動子群Ｂ（ｉ）について独立かつ任意に選択することができる。
【００２８】
遅延時間制御器１１は、制御装置７からの指令に基づいて、超音波送信器群１２および超音波受信器群１３に接続された各振動子群を制御することにより、検査対象部位の所定の位置に超音波ビームを集束および偏向等することができる。
【００２９】
さらに、マトリックスアレイ型超音波探触子２、超音波送信器群１２および超音波受信器群１３からなる超音波トランスデューサを構成しており、この超音波トランスデューサにより、電子的に走査する走査手段としての走査部１４が構成される。
【００３０】
マトリックスアレイ型超音波探触子２は、制御装置７からの指令により、振動子群Ａ（ｉ）から任意の１個または複数個の振動子を、送信用振動子群ＧＡ（ｐ１）、ＧＡ（ｐ２）、・・・ＧＡ（ｐｎ）（以下、ＧＡ（ｐ）という。）、および受信用振動子群ＧＡ（ｒ１）、ＧＡ（ｒ２）、・・・ＧＡ（ｒｎ）（以下、ＧＡ（ｒ）という。）としてそれぞれ選択することができる。
【００３１】
また同様に、マトリックスアレイ型超音波探触子２は制御装置７からの指令により、振動子群Ｂ（ｉ）から任意の１個または複数個の振動子を、送信用振動子群ＧＢ（ｐ１）、ＧＢ（ｐ２）、・・・ＧＢ（ｐｍ）（以下、ＧＢ（ｐ）という。）、および受信用振動子群ＧＢ（ｒ１）、ＧＢ（ｒ２）、・・・ＧＢ（ｒｍ）（以下、ＧＢ（ｒ）という。）としてそれぞれ選択することができる。
【００３２】
送信用振動子群ＧＡ（ｐ）およびＧＢ（ｐ）の各振動子には超音波ビームを発生させる超音波送信器群１２が接続される。また、受信用振動子群ＧＡ（ｒ）およびＧＢ（ｒ）の各振動子には超音波エコーを受信させる超音波受信器群１３が接続されている。
【００３３】
これにより、制御装置７の指令に基づいて設定された送信用振動子群ＧＡ（ｐ）およびＧＢ（ｐ）ならびに、受信用振動子群ＧＡ（ｒ）およびＧＢ（ｒ）は、探傷条件設定部８により設定された探傷条件に基づく電子走査を行い、被測定物１を探傷することができる。
【００３４】
図３は、マトリックスアレイ型超音波探触子２から送受信される超音波ビームが伝播し、被測定物１の探傷を行う際の説明図である。Ｌ１は、超音波ビームがマトリックスアレイ型超音波探触子２から送信され、被測定物１に到達するまでの経路を表し、Ｌ２は超音波ビームが被測定物１に進入してから欠陥１ａに到達するまでの経路を表す。また、θは超音波ビームが被測定物１内で屈折する送受信屈折角を表す。
【００３５】
超音波ビームは、マトリックスアレイ型超音波探触子２から送信され経路Ｌ１を通り、被測定物１と送受信屈折角θで被測定物１に入射し、経路Ｌ２を通り欠陥１ａで反射する。反射した超音波エコーは、同様の経路Ｌ１、Ｌ２を通り、マトリックスアレイ型超音波探触子２に受信される。
【００３６】
図４は、被測定物１に対し電子走査としてのセクタ走査により、振動子群Ａ（ｉ）および振動子群Ｂ（ｉ）により探傷を行う際の説明図である。また、本実施形態では、振動子群Ａ（ｉ）、および振動子群Ｂ（ｉ）との探傷範囲は重複しないこととする。
【００３７】
送受信屈折角θ１からθ２の範囲は、周波数ｆ１を使用する振動子群Ａ（ｉ）を用いた探傷範囲に設定しセクタ走査を行う。送受信屈折角θ２からθ３の範囲は、周波数ｆ１より高い周波数ｆ２を使用する振動子群Ｂ（ｉ）を用いた探傷範囲に設定しセクタ走査を行う。
【００３８】
ここで、使用周波数が高い振動子群Ｂ（ｉ）を用いて被測定物１の表面側の探傷を行うことで、被測定物１の表面付近の欠陥検出の精度を向上することができる。送受信屈折角の設定は、図１に示す探傷条件設定部８で行われる。
【００３９】
他方、超音波受信器群１３には、探傷で得られた超音波エコーを処理する処理手段としての処理部１５が接続されている。処理部１５は、画像処理装置１６と、信号処理装置１７で構成されている。画像処理装置１６と信号処理装置１７は、超音波送受信によって検出された超音波波形から受信信号を抽出し、マトリックスアレイ型超音波探触子２の電子的走査位置あるいは機械的走査位置に対する受信信号の振幅分布を用いて欠陥情報等を算出し、画像化する。
【００４０】
画像処理装置１６および信号処理装置１７は、出力装置１８に接続され、制御装置７からの指令により、信号処理された欠陥１ａの位置および寸法等が画像出力および記録出力できるようになっている。
【００４１】
なお、欠陥情報とは欠陥位置、深さ、長さ、傾き等の情報である。
【００４２】
画像処理装置１６は、電子走査により得られた超音波受信波形を画像処理し、画像処理結果を検査対象部分の形状と重ね合わせて表示し、受信信号をエコー振幅値の大きさでカラー諧調表示することができる。
【００４３】
また、信号処理装置１７で機械的走査または電気的走査により得られた超音波受信波形からビーム路程、エコー振幅値を計算し、検査対象部分の形状、溶接形状等と対比させる等の解析処理を行い、欠陥の判別、欠陥の位置、寸法等を測定することができる。
【００４４】
さらに、画像処理結果および解析処理結果は、出力装置１８に表示することができる。これらの処理はすべて制御装置７からの指令により行うことができる。
【００４５】
画像処理装置１６および信号処理装置１７での処理には、振動子群Ａ（ｉ）および振動子群Ｂ（ｉ）のそれぞれで得られた受信信号を、欠陥評価に独立に用いることができる。
【００４６】
図５および図６は、欠陥評価のうち、欠陥深さｄを求める処理を示す説明図である。
【００４７】
図５（Ａ）では、送受信屈折角θ１からθ２の範囲で振動子群Ａ（ｉ）による探傷を行い、欠陥開口部２０からの超音波エコーである受信信号Ｃ１を得る。
【００４８】
図５（Ｂ）では、送受信屈折角θ２からθ３の範囲で振動子群Ｂ（ｉ）による探傷を行い、欠陥端部２１からの超音波エコーである受信信号Ｔ１を得る。
【００４９】
図５（Ｃ）では、セクタ走査により得られた受信信号Ｃ１および受信信号Ｔ１を、欠陥深さを求める処理に用いることを示している。
【００５０】
その後、図６に示すように、振動子群Ａ（ｉ）を用いた探傷により得られた受信信号Ｃ１より、欠陥開口部深さｄＣを求める。同様に、振動子群Ｂ（ｉ）を用いた探傷により得られた受信信号Ｔ１より、欠陥端部深さｄＴを求める。欠陥開口部深さｄＣおよび欠陥端部深さｄＴは次式よりもとまる。  
［数１］
ｄ＝Ｕｃｏｓ（θ）
ここでＵは被測定物１内部の超音波ビーム路程であり、θは被測定物１に対する送受信屈折角である。
【００５１】
欠陥深さｄは、上述した式より求まったｄＣおよびｄＴの差より求めることができる。
【００５２】
なお、本実施形態では、マトリックスアレイ型超音波探触子２による被測定物１への探傷では接触媒質ｃとして水を用いるが、検査対象部分への直接接触、またはアクリル等の樹脂を接触媒質として使用することもできる。
【００５３】
また、本実施形態ではマトリックスアレイ型超音波探触子２の使用周波数の異なる振動子群は２種類としたが、使用周波数の異なる振動子群を対称的に配列する場合には、３種類以上の使用周波数の異なる振動子群を用いてもよい。
【００５４】
さらに、マトリックスアレイ型超音波探触子２の振動子の形状は、多角形、円形等でもよい。
【００５５】
またさらに、マトリックスアレイ型超音波探触子２の振動子群の配列は、マトリックス状に限らず、リニア状、ハニカム状、同心円状、三角形状であってもよく、またこれらの形状が三次元的配列であってもよい。
【００５６】
図７は、上述した変形例を適用した場合の振動子群の概念図の一例である。図７のように、振動子の形状を六角形に、振動子群の配列をハニカム状にしても、本実施形態と同様の効果を得ることができる。
【００５７】
本実施形態では、処理部１５における画像処理装置１６および信号処理装置１７は並列に構成したが、直列に構成してもよい。
【００５８】
図８は、上述した超音波探傷装置を用いた超音波探傷方法の実施形態を説明するフローチャートである。
【００５９】
図８に示すように、ステップＳ１において、過去の運転履歴等に基づいて、被測定物１の検査対象部位が選定される。
【００６０】
次にステップＳ２において制御装置７により、被測定物１の予め定められた条件をもとに、データベースに格納されていた探傷条件が設定される。
【００６１】
ステップＳ３では、図４に示すように、探傷条件設定ステップであるＳ２において設定された探傷条件をもとに、予め振動子群ごとに設定された送受信屈折角の範囲内においてマトリックスアレイ型超音波探触子２による被測定物１に対する探傷が行われ、欠陥１ａからの反射波等の超音波エコーが収録される。
【００６２】
その後、ステップＳ４においては画像処理装置１６により、制御装置７からの指令に基づき、収録された波形データをリアルタイムで画像処理する。また、画像処理結果を検査対象部分の形状に重ね合わせて断面画像表示、平面画像表示、立体画像表示したものを、エコー振幅値の大きさに対応したカラー諧調表示する。
【００６３】
一方、ステップＳ５においては信号処理装置１７により、図５および図６に示すように、収録した波形データから超音波ビーム路程およびエコー振幅値を振動子群ごとの位置に合わせて演算し、欠陥開口部２０および欠陥端部２１からの受信信号から欠陥深さ等を求める処理を行う。あるいは、欠陥からの超音波エコーのエコー振幅値を演算し、予めデータベース化しておいたエコー高さと欠陥深さの関係に照合して欠陥深さ等を求める解析処理を行う。
【００６４】
その後ステップＳ６では、画像処理ステップであるステップＳ４、および信号処理ステップであるＳ５の結果をもとに、検査対象部分の位置が溶接部１ｂの内部、溶接熱影響部または母材１ｃかによって欠陥か否かを判定する欠陥評価を行う。
【００６５】
さらにステップＳ７で、画像処理結果および信号処理結果を出力装置１８に表示する。
【００６６】
以上のような超音波探傷装置および超音波探傷方法によれば、図９に示すように、同一の探触子位置において、使用周波数の異なる超音波ビームを用いた欠陥検査を効率的かつ高精度に実施することができる。
【００６７】
また、欠陥の検出および深さサイジング評価をもとに、容易に所定の周波数に変更することができ、作業の効率化を図ることができる。
【００６８】
次に、上述した超音波探傷装置による、他の処理を用いた超音波探傷方法について説明する。
【００６９】
図１０は図４に対応するものであり、セクタ走査による探傷を行う際の概念図である。また、本実施形態では、振動子群Ａ（ｉ）および振動子群Ｂ（ｉ）の探傷範囲は重複することとする。
【００７０】
送受信屈折角θ１からθ２の範囲は、周波数ｆ１を使用する振動子群Ａ（ｉ）を用いた探傷範囲に設定しセクタ走査を行う。送受信屈折角θ３からθ４の範囲は、周波数ｆ１より高い周波数ｆ２を使用する振動子群Ｂ（ｉ）を用いた探傷範囲に設定しセクタ走査を行う。
【００７１】
ここで、使用周波数が高い振動子群Ｂ（ｉ）で被測定物１の表面側の探傷を行うことで、被測定物１表面付近の欠陥検出の精度を向上することができる。また、送受信屈折角の設定は、探傷条件設定部８で行われる。
【００７２】
図１１は図５に対応するものであり、欠陥評価のうち欠陥深さを求める処理を示す説明図である。
【００７３】
図１１（Ａ）では、送受信屈折角θ１からθ２の範囲で振動子群Ａ（ｉ）による探傷を行い、欠陥開口部２０および欠陥端部２１からの超音波エコーである受信信号Ｃ２を得る。
【００７４】
図１１（Ｂ）では、送受信屈折角θ３からθ４の範囲で振動子群Ｂ（ｉ）による探傷を行い、欠陥開口部２０および欠陥端部２１からの超音波エコーである受信信号Ｔ２を得る。
【００７５】
図１１（Ｃ）では、セクタ走査により得られた受信信号Ｃ２および受信信号Ｔ２を、欠陥深さを求める処理に用いることを示している。
【００７６】
ここで、振動子群Ａ（ｉ）および振動子群Ｂ（ｉ）によるセクタ走査で得られた受信信号による解析結果が、同一位置からの受信信号による解析結果であると判断された場合、いずれの受信信号による解析結果を欠陥評価に用いるかを予め設定することができる。
【００７７】
欠陥評価に使用する解析結果の選択は、例えば、受信信号のエコー振幅値が高いほうの受信信号による解析結果を使用することにより行う。また、受信信号に対するノイズの比率が低い受信信号による解析結果を使用することや、使用周波数の異なる振動子群ごとに被測定物１の位置、送受信屈折角等に基づき欠陥評価を行う範囲を予め設定することにより行う。これらの設定は、探傷条件設定部８で行われる。
【００７８】
図１２は、上述した超音波探傷装置による、他の処理を用いた実施形態を説明するフローチャートである。
【００７９】
ステップＳ１１は、探傷部位の選定ステップＳ１と同様であるため説明を省略する。
【００８０】
ステップＳ１２は、上述した探傷条件設定ステップＳ２に加えて、欠陥の同一位置からの受信信号による解析結果であると判断された場合に、いずれの受信信号による解析結果を欠陥評価に用いるかを探傷条件として設定する。
【００８１】
ステップＳ１３においては、図１０に示すように、探傷条件設定ステップＳ１２で設定された探傷条件をもとに、予め周波数ごとに設定された範囲内において、マトリックスアレイ型超音波探触子２により被測定物１に対する探傷が行われ、欠陥１ａからの反射波等の超音波波形データが収録される。
【００８２】
ステップＳ１４およびＳ１５は、上述した画像処理ステップＳ４および信号処理ステップＳ５と同様であるため、説明を省略する。
【００８３】
ステップＳ１６では、探傷により得られた受信信号が同一位置からのものであると判断された場合に、探傷条件設定ステップＳ１２で設定された受信信号の使用条件に基づき、欠陥評価に使用する解析結果を選択する。
【００８４】
ステップＳ１７およびＳ１８は、上述した欠陥評価ステップＳ６および探傷結果表示ステップＳ７と同様であるため、説明を省略する。
【００８５】
以上のような超音波探傷装置および超音波探傷方法によれば、図９のように、同一の検査対象部位で、振動子群Ａ（ｉ）による探傷範囲２２と、振動子群Ｂ（ｉ）による探傷範囲２３が重複した欠陥検査を実施できるため、欠陥検出位置の整合性が高く、高精度な欠陥検査を実施することができる。
【００８６】
また、同一の探触子位置において、使用周波数の異なる超音波ビームを用いた欠陥検査を効率的かつ高精度に実施することができる。
【００８７】
さらに、欠陥の検出および深さサイジング評価をもとに、容易に所定の周波数に変更することができ、作業の効率化を図ることができる。
【図面の簡単な説明】
【００８８】
【図１】本発明の超音波探傷装置の実施の形態による構成を示す構成図。
【図２】マトリックスアレイ型超音波探触子の表面拡大図。
【図３】超音波送受信方法を示す説明図。
【図４】複数の振動子群を用いた超音波送受信方法を示す説明図。
【図５】受信信号を得るための処理を示す説明図。
【図６】欠陥深さを求める処理を示す説明図。
【図７】アレイ型超音波探触子の変形例の概念図。
【図８】本発明の実施の形態による超音波探傷方法を説明するフローチャート。
【図９】本発明の実施の形態による超音波探傷方法の効果を示す説明図。
【図１０】他の処理を用いた超音波送受信方法を示す説明図。
【図１１】他の処理を用いた受信信号を得るための処理を示す説明図。
【図１２】他の処理を用いた超音波探傷方法を説明するフローチャート。
【符号の説明】
【００８９】
１  被測定物
１ａ  欠陥
１ｂ  溶接金属
１ｃ  母材
２  マトリックスアレイ型超音波探触子
３  探触子移動調節部
４  駆動機構制御装置
５  駆動機構
６  探触子保持機構
７  制御装置
８  探傷条件設定部
９  使用周波数選択機構
１０  使用振動子選択機構
１１  遅延時間制御器
１２  超音波送信器群
１３  超音波受信器群
１４  走査部
１５  処理部
１６  画像処理装置
１７  信号処理装置
１８  出力装置
２０  欠陥開口部
２１  欠陥端部
２２  振動子群Ａ（ｉ）による探傷範囲
２３  振動子群Ｂ（ｉ）による探傷範囲
Ａ（ｉ）  使用周波数ｆ１である振動子
Ｂ（ｉ）  使用周波数ｆ２である振動子
ｃ  接触媒質
【図１】
2008232627.tif 000003
【図２】
2008232627.tif 000004
【図３】
2008232627.tif 000005
【図４】
2008232627.tif 000006
【図５】
2008232627.tif 000007
【図６】
2008232627.tif 000008
【図７】
2008232627.tif 000009
【図８】
2008232627.tif 000010
【図９】
2008232627.tif 000011
【図１０】
2008232627.tif 000012
【図１１】
2008232627.tif 000013
【図１２】
2008232627.tif 000014